【手続補正書】
【提出日】平成21年6月25日(2009.6.25)
【手続補正１】
【補正対象書類名】特許請求の範囲
【補正対象項目名】全文
【補正方法】変更
【補正の内容】
【特許請求の範囲】
【請求項１】
第１の操作部材の操作によって撮影条件を設定する撮影条件設定部と、
前記撮影条件設定部によって設定された撮影条件を表示する表示部と、
第２の操作部材の操作に応じて前記表示部にて前記撮影条件の表示を行うかどうかを制御する第１の表示制御部と、
撮影者がファインダーに接近したことを検知する接近検知部と、
前記接近検出部からの出力に応じて前記表示部にて前記撮影条件の表示を行うかどうかを制御する第２の表示制御部と、
前記第１の表示制御部によって、前記撮影条件の表示を行わないように前記表示部が制御されるときには、前記第１の操作部材が操作されても撮影条件の設定動作を行わないように前記撮影条件設定部を制御するとともに、前記第２の表示制御部によって、前記撮影条件の表示を行わないように前記表示部が制御されるときには、前記撮影条件の表示を行わないまま前記第１の操作部材が操作に基づいて撮影条件の設定動作を行うように前記撮影条件設定部を制御する制御部を有することを特徴とする撮像装置。
【請求項２】
前記第２の表示制御部は、前記接近検知部によって前記撮影者が前記ファインダーに接近したことを検出したときに、前記撮影条件の表示を行わないように前記表示部を制御することを特徴とする請求項１に記載の撮像装置。
【請求項３】
第１の操作部材の操作によって撮影条件を設定する撮影条件設定部と、
前記撮影条件設定部によって設定された撮影条件を表示する表示部と、
第２の操作部材の操作に応じて前記表示部を点灯または消灯制御する第１の表示制御部と、
撮影者がファインダーに接近したことを検知する接近検知部と、
前記接近検出部からの出力に応じて前記表示部を点灯または消灯制御する第２の表示制御部と、
前記第１の表示制御部によって、前記表示部が消灯制御されるときには、前記第１の操作部材が操作されても撮影条件の設定動作を行わないように前記撮影条件設定部を制御するとともに、前記第２の表示制御部によって、前記表示部が消灯制御されるときには、前記表示部を消灯したまま前記第１の操作部材が操作に基づいて撮影条件の設定動作を行うように前記撮影条件設定部を制御する制御部を有することを特徴とする撮像装置。
【請求項４】
前記第２の表示制御部は、前記接近検知部によって前記撮影者が前記ファインダーに接近したことを検出したときに、前記表示部を消灯制御することを特徴とする請求項３に記載の撮像装置。
【請求項５】
前記表示部はバックライトを有する表示デバイスであって、前記第１および第２の表示制御部は前記バックライトを点灯または消灯制御することを特徴とする請求項３または４のいずれかに記載の撮像装置。
【請求項６】
撮影者がファインダーに接近したことを検知する接近検知部と、
操作部材の操作によって撮影条件を設定する撮影条件設定部と、
前記撮影条件設定部によって設定された撮影条件を表示する表示部と、
前記表示部に前記撮影条件の表示を行うかどうかを制御する第１の表示制御部と、
前記撮影条件設定部によって設定された撮影条件を表示する前記ファインダー内に表示するファインダー内表示部と、
前記ファインダー内表示部に前記撮影条件の表示を行うかどうかを制御する第２の表示制御部とを有し、
前記第１の表示制御部および前記第２の表示制御部によって前記撮影条件の表示を行わないように制御されるときであっても、前記操作部材が操作された場合には、前記接近検知部の出力に基づいて、前記表示部または前記ファインダー内表示部に前記撮影条件の表示を行うように前記第１の表示制御部または前記第２の表示制御部を制御することを特徴とする撮像装置。
【請求項７】
撮影者がファインダーに接近したことを検知する接近検知部と、
操作部材の操作によって撮影条件を設定する撮影条件設定部と、
前記撮影条件設定部によって設定された撮影条件を表示する表示部と、
前記表示部を点灯または消灯制御する第１の表示制御部と、
前記撮影条件設定部によって設定された撮影条件を表示する前記ファインダー内に表示するファインダー内表示部と、
前記ファインダー内表示部を点灯または消灯制御する第２の表示制御部とを有し、
前記第１の表示制御部および前記第２の表示制御部によって前記表示部および前記ファインダー内表示部が消灯制御されるときであっても、前記操作部材が操作された場合には、前記接近検知部の出力に基づいて、前記表示部または前記ファインダー内表示部を点灯制御するように前記第１の表示制御部または前記第２の表示制御部を制御することを特徴とする撮像装置。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
第１の操作部材の操作によって撮影条件を設定する撮影条件設定部と、前記撮影条件設定部によって設定された撮影条件を表示する表示部と、第２の操作部材の操作に応じて前記表示部にて前記撮影条件の表示を行うかどうかを制御する第１の表示制御部と、撮影者がファインダーに接近したことを検知する接近検知部と、前記接近検出部からの出力に応じて前記表示部にて前記撮影条件の表示を行うかどうかを制御する第２の表示制御部と、前記第１の表示制御部によって、前記撮影条件の表示を行わないように前記表示部が制御されるときには、前記第１の操作部材が操作されても撮影条件の設定動作を行わないように前記撮影条件設定部を制御するとともに、前記第２の表示制御部によって、前記撮影条件の表示を行わないように前記表示部が制御されるときには、前記撮影条件の表示を行わないまま前記第１の操作部材が操作に基づいて撮影条件の設定動作を行うように前記撮影条件設定部を制御する制御部を有することを特徴とする。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
本発明の撮像装置は、第１の操作部材の操作によって撮影条件を設定する撮影条件設定部と、前記撮影条件設定部によって設定された撮影条件を表示する表示部と、第２の操作部材の操作に応じて前記表示部を点灯または消灯制御する第１の表示制御部と、撮影者がファインダーに接近したことを検知する接近検知部と、前記接近検出部からの出力に応じて前記表示部を点灯または消灯制御する第２の表示制御部と、前記第１の表示制御部によって、前記表示部が消灯制御されるときには、前記第１の操作部材が操作されても撮影条件の設定動作を行わないように前記撮影条件設定部を制御するとともに、前記第２の表示制御部によって、前記表示部が消灯制御されるときには、前記表示部を消灯したまま前記第１の操作部材が操作に基づいて撮影条件の設定動作を行うように前記撮影条件設定部を制御する制御部を有することを特徴とする。
【手続補正６】
【補正対象書類名】明細書
【補正対象項目名】００１１
【補正方法】変更
【補正の内容】
【００１１】
本発明の撮像装置は、撮影者がファインダーに接近したことを検知する接近検知部と、操作部材の操作によって撮影条件を設定する撮影条件設定部と、前記撮影条件設定部によって設定された撮影条件を表示する表示部と、前記表示部に前記撮影条件の表示を行うかどうかを制御する第１の表示制御部と、前記撮影条件設定部によって設定された撮影条件を表示する前記ファインダー内に表示するファインダー内表示部と、前記ファインダー内表示部に前記撮影条件の表示を行うかどうかを制御する第２の表示制御部とを有し、前記第１の表示制御部および前記第２の表示制御部によって前記撮影条件の表示を行わないように制御されるときであっても、前記操作部材が操作された場合には、前記接近検知部の出力に基づいて、前記表示部または前記ファインダー内表示部に前記撮影条件の表示を行うように前記第１の表示制御部または前記第２の表示制御部を制御することを特徴とする。
【手続補正７】
【補正対象書類名】明細書
【補正対象項目名】００１２
【補正方法】変更
【補正の内容】
【００１２】
本発明の撮像装置は、撮影者がファインダーに接近したことを検知する接近検知部と、操作部材の操作によって撮影条件を設定する撮影条件設定部と、前記撮影条件設定部によって設定された撮影条件を表示する表示部と、前記表示部を点灯または消灯制御する第１の表示制御部と、前記撮影条件設定部によって設定された撮影条件を表示する前記ファインダー内に表示するファインダー内表示部と、前記ファインダー内表示部を点灯または消灯制御する第２の表示制御部とを有し、前記第１の表示制御部および前記第２の表示制御部によって前記表示部および前記ファインダー内表示部が消灯制御されるときであっても、前記操作部材が操作された場合には、前記接近検知部の出力に基づいて、前記表示部または前記ファインダー内表示部を点灯制御するように前記第１の表示制御部または前記第２の表示制御部を制御することを特徴とする。